(57)【特許請求の範囲】
【請求項１】
コンピュータ装置の入力装置として使用され、平面上を移動操作されるマウス装置において、
ハウジングに装填される記録紙を該ハウジングに設けられる排出口に向けて搬送する搬送手段と、
前記搬送手段により搬送される前記記録紙に前記コンピュータ装置から出力される印字信号を受けて印字を行う印字手段と、
前記印字手段によって印字が行われ前記搬送手段によって前記排出口から排出される前記記録紙を前記平面とは反対方向に向かわせて前記平面上に垂れ下がることを抑止する排紙方向規制手段と
を備えることを特徴とするプリンタ内蔵マウス装置。
【請求項２】
前記搬送手段は、前記記録紙の記録面を略水平に搬送すべく設けられた紙搬送路と、この紙搬送路に沿って前記記録紙を搬送する搬送機構とを備え、
前記排紙方向規制手段は、前記排出口の近傍に設けられて前記ハウジング外に排出される前記記録紙を前記平面とは反対方向に向かって案内する排紙案内路を備えることを特徴とする請求項１記載のプリンタ内蔵マウス装置。
【請求項３】
前記搬送手段は、前記記録紙の記録面を略水平に搬送すべく設けられた紙搬送路と、この紙搬送路に沿って前記記録紙を搬送する搬送機構とを備え、
前記排紙方向規制手段は、前記排出口の近傍に設けられて前記記録紙に当接し前記ハウジング外に排出される前記記録紙に前記平面とは反対方向への湾曲習性を施す癖付けロールを備えることを特徴とする請求項１記載のプリンタ内蔵マウス装置。
【請求項４】
前記搬送手段は、前記記録紙の記録面を略水平に搬送すべく設けられた紙搬送路と、この紙搬送路に沿って前記記録紙を搬送する搬送機構とを備え、
前記記録紙は、ロール状に巻回された長尺紙であり、
前記排紙方向規制手段は、前記ロール状の記録紙の外側の面が前記平面を向いて搬送されるように前記紙搬送路に繰り出すべく、前記ロール状に巻回された記録紙を収容する記録紙収容部を備えることを特徴とする請求項１記載のプリンタ内蔵マウス装置。
【発明の詳細な説明】
【０００１】
【発明の属する技術分野】
本発明は、コンピュータ装置のポインティングデバイスとして用いられるマウス装置にプリンタを内蔵させたプリンタ内蔵マウス装置に関する。
【０００２】
【従来の技術】
従来、プリンタ機能を有するマウス装置として、特開平５−２０４５４２号公報に記載のものが知られている。このマウス装置は、そのマウス機能によってハウジングの位置情報信号をカーソル制御信号としてコンピュータ装置に出力する一方、ハンディプリンタ機能を備えており、ハウジングの走査によってコンピュータ装置から受けた印字信号を外部記録紙に印字するように構成されている。
【０００３】
【発明が解決しようとする課題】
従来のプリンタ内蔵マウス装置はマウス装置とハンディプリンタ装置とを組み合わせたものであるため、マウス装置がその上を走査可能な外部記録紙にある程度の量のデータを印字するのには適しても、例えば、コンピュータ装置のディスプレイ画面上に表示されるごく一部のデータのみをメモ感覚で印字し、それをメモとして保存するのには適当ではない。そこで、マウス装置に記録紙を装填し、この記録紙に付箋紙程度の小サイズ単位でメモ書き程度の簡単な内容を印字できるプリンタ機構を搭載したプリンタ内蔵マウス装置が考えられる。
【０００４】
しかし、ハンディプリンタ機構を備えた従来のマウス装置では、外部記録紙に印字を行うため特に問題にはならないが、上記のような装置内に装填される記録紙に印字を行うプリンタ機構を備えるマウス装置では、印字された記録紙がハウジング外に排出されてマウス装置が載置される机上などの平面上に垂れ下がってマウス装置の移動操作の邪魔になり、そのままの状態でマウス装置を操作すると、マウス装置により排出された記録紙を引っかけてしまう不具合がある。
【０００５】
そこで、本発明は、マウス装置に装填される記録紙にコンピュータ装置から出力される印字信号に基づいて印字を行うプリンタ内蔵マウス装置にあって、印字されて外部に排出される記録紙がマウス装置の移動操作の邪魔にならず、また、マウス装置の操作時に印字済みの記録紙を引っかけて傷めたりすることがないプリンタ内蔵マウス装置を提供することを目的とする。
【０００６】
【課題を解決するための手段】
本発明のプリンタ内蔵マウス装置は、コンピュータ装置の入力装置として使用され、平面上を移動操作されるマウス装置において、ハウジングに装填される記録紙を該ハウジングに設けられる排出口に向けて搬送する搬送手段と、前記搬送手段により搬送される前記記録紙に前記コンピュータ装置から出力される印字信号を受けて印字を行う印字手段と、前記印字手段によって印字が行われ前記搬送手段によって前記排出口から排出される前記記録紙を前記平面とは反対方向に向かわせて前記平面上に垂れ下がることを抑止する排紙方向規制手段とを備えたものである。
【０００７】
このような構成のプリンタ内蔵マウス装置では、ハウジング内に装填された記録紙が印字後に排出口から排出されるときに、排紙方向規制手段により、マウス装置が移動操作される平面とは反対方向に排出されて、前記平面上への垂れ下がりを抑止することができる。これによって、ハウジング外に排出される記録紙がマウス装置の操作の邪魔にならず、また、印字された記録紙をマウス装置によって傷めることもない。
【０００８】
また、前記プリンタ内蔵マウス装置において、前記搬送手段を前記記録紙の記録面を略水平に搬送する紙搬送路と、この紙搬送路に沿って前記記録紙を搬送する搬送機構とで構成し、前記排紙方向規制手段を前記排出口の近傍に設けられて前記ハウジング外に排出される前記記録紙を前記平面とは反対方向に向かって案内する排紙案内路で構成することができる。
【０００９】
このような構成によれば、ハウジング内を外部に向けて略水平に搬送された記録紙が印字後に排紙案内路によってマウス装置が移動操作される平面とは反対方向に案内されるので、前記平面上に垂れ下がることを防ぐことができ、前述の垂れ下がることによる不都合の発生を防止できる。
【００１０】
また、前記プリンタ内蔵マウス装置において、前記搬送手段を前記記録紙の記録面を略水平に搬送する紙搬送路と、この紙搬送路に沿って前記記録紙を搬送する搬送機構とで構成し、前記排紙方向規制手段を前記排出口の近傍に設けられて前記記録紙に当接し前記ハウジング外に排出される前記記録紙に前記平面とは反対方向への湾曲習性を施す癖付けロールで構成することもできる。
【００１１】
このような構成によれば、ハウジング内に装填された記録紙が印字後に排出口から排出されるときに、排出口の近傍に設けられた癖付けロールによってマウス装置が移動操作される平面とは反対方向への湾曲習性を施すことで、前記平面上への垂れ下がりを抑止することができる。
【００１２】
また、前記プリンタ内蔵マウス装置において、前記搬送手段を前記記録紙の記録面を略水平に搬送すべく設けられた紙搬送路と、この紙搬送路に沿って前記記録紙を搬送する搬送機構とで構成し、前記排紙方向規制手段を記録紙の外側の面がマウス装置が移動操作される平面を向いて搬送されるように前記紙搬送路に繰り出すべくロール状に巻回された記録紙を収容する記録紙収容部で構成することができる。
【００１３】
このような構成によれば、ロール状に巻回された記録紙が排出口から排出されるときには、その巻き癖により、マウス装置が移動操作される平面とは反対方向に向かうため、前記平面上への垂れ下がりを抑止することができる。
【００１４】
【発明の実施の形態】
以下、図面を参照して本発明の一実施形態を説明する。
【００１５】
図１は本発明の一実施形態に係るプリンタ内蔵マウス装置の外観構成を示す斜視図、図２はそのプリンタ内蔵マウス装置の蓋を開けた状態を示す斜視図である。
【００１６】
図１及び図２に示すように、マウス装置１０のハウジング１１の上面部１１ａには、左ボタン１２及び右ボタン１３が設けられるとともに、蓋１４が軸１５を支点として開閉自在に設けられる。この蓋１４の下方のハウジング１１内には、図２に示すように記録紙収納部１６及び電池収納部１７があり、記録紙収納部１６にロール状の記録紙１８（図３参照）を収納し、電池収納部１７にはプリンタ装置の駆動電源となる電池１９を収納できるような構造になっている。また、蓋１４には記録紙収納部１６に収納されたロール状の記録紙１８の残量を確認可能な窓１４ａが形成されている。
【００１７】
記録紙収納部１６に収納されたロール状の記録紙１８はハウジング１１内に設けられた印字機構により印字され、ハウジング１１の一方の側面部１１ｂに設けられた排出口２０からハウジング１１外に排出される。
【００１８】
また、ハウジング１１の内部には、ここでは図示されていないが、マウス装置１０を手で動かしたときの左右方向及び前後方向の移動量を検出するＸ軸エンコーダ及びＹ軸エンコーダが内蔵されている。そして、ハウジング１１の底面部１１ｃには、これらのエンコーダにマウス装置１０の移動量を伝達するボールが回転自在に設けられている。これらＸ軸エンコーダ、Ｙ軸エンコーダ、ボールによって移動量検出手段が構成される。
【００１９】
マウス装置では、前記移動量検出手段によって検出されたマウス装置１０の移動量に基づいてコンピュータ画面上でマウスポインタを左右・上下方向に移動させる信号が発生され、左ボタン１２及び右ボタン１３の操作信号とともにマウスケーブル２１を介して不図示のコンピュータ装置に送られる。
【００２０】
図３に前記記録紙収納部１６に収納されるロール状の記録紙１８の構成を示す。図３（ａ）は記録紙１８の斜視図、同図（ｂ）は記録紙１８の断面図である。
【００２１】
図３（ａ）に示すように、前記記録紙収納部１６に収納される記録紙１８は長尺紙からなり、軸芯１８ａにロール状に巻回されてロール紙として用いられるものである。この記録紙１８は、図３（ｂ）に示すように、感熱紙３１と剥離紙３２とが接着剤層３３を介して剥離可能に積層され、印字後に剥離紙３２を引き剥がすことでシールとして使用可能な構造を有する。前記感熱紙３１は、長尺状の基材３１ａと、その表面に感熱発色剤を塗布して印字面となる感熱発色層３１ｂと、その感熱発色層３１ｂを覆う保護層３１ｃとで構成され、記録紙１８はこの感熱紙３１側の記録面を外側にして軸芯１８ａに多層巻回される。
【００２２】
なお、この記録紙１８が印字機構によって印字される際には、記録面に所定の大きさの印字領域が設定され、印字後は付箋紙程度の大きさの短冊状に切断されて使用される。
【００２３】
図４はハウジング１１内に設けられた各構成部品をハウジング１１の上面から見た場合の概略構成図、図５はそのハウジング１１内の各構成部品を正面から見た場合の概略構成図である。なお、図４において、４０はマウス回路部品が実装される回路基板であり、４１及び４２はハウジング１１の上面部１１ａに設けられた左ボタン１２及び右ボタン１３に連動したスイッチである。また、４３は前記ハウジング１１の底面部１１ｃに回転自在に設けられたボールであり、４４及び４５はそのボール４３のＸ軸方向とＹ軸方向の回転を検知するためのエンコーダである。
【００２４】
ここで、本実施形態におけるマウス装置１０では、そのハウジング１１内に、記録紙収納部１６から繰り出される記録紙１８またはハウジング１１の側面部１１ｄに設けられた手差し口５０から挿入される記録紙５１の記録面を略水平に搬送するための紙搬送路５２が設けられる。前記記録紙５１は、図３のようなロール状の記録紙１８とは別に用いられるものであり、短冊状にカットされたカット紙である。この短冊状の記録紙５１も前記ロール状の記録紙１８と同様に感熱紙と剥離紙が接着剤を介して積層された構造を有し、その感熱紙側の記録面を下向きにして手差し口５０からハウジング１１内に挿入される。
【００２５】
また、紙搬送路５２にはプラテンローラ５３が配設されている。このプラテンローラ５３は図４に示すステップモータ５４の駆動により図示せぬ伝達機構を介して矢印Ａ方向に回転し、記録紙１８または記録紙５１を紙搬送路５２に沿って排出口２０に向けて搬送する。そして、このプラテンローラ５３に対向してサーマルヘッド５５が設けられる。サーマルヘッド５５は、図示せぬヘッド移動機構により図５の両方向矢印Ｂに示すように移動自在な構成とされる。なお、前記ヘッド移動機構としては、操作者がハウジング１１の上面部１１ａに設けられた蓋１４を開いたときにサーマルヘッド５５をプラテンローラ５３から離間させ、操作者が蓋１４を閉じたときにサーマルヘッド５５をプラテンローラ５３に当接させるべく、蓋１４の開閉に連動してサーマルヘッド５５を移動させる構造を有するものとする。
【００２６】
ハウジング１１内の排出口２０の近傍には、サーマルヘッド５５により印字され、プラテンローラ５３により排出口２０から排紙される記録紙１８、５１を、マウス装置１０が載置されて移動操作される平面とは反対方向に向け、すなわち、マウス装置１０に対して下方に位置する平面とは反対の上方に向けて案内するように、その先端部５６ａが上方に向けて湾曲形成された排紙案内路５６が設けられる。
【００２７】
また、排出口２０の近傍には、この排紙案内路５６に当接して癖付けロール５７が設けられる。この癖付けロール５７は、ステップモータ５４によりプラテンローラ５３と同様に矢印Ａ方向に回転駆動されるものであり、排出口２０からハウジング１１外に排出される記録紙１８、５１を排紙案内路５６の湾曲形成された先端部５６ａとの間で圧接して前記平面とは反対方向への湾曲習性を施すものである。この癖付けロール５７は、例えば適度の硬度を有するスポンジロール等で形成される。なお、この癖付けロール５８は、ステップモータ５４の回転軸に連結された図示せぬ伝達機構を介してプラテンローラ５３よりも高速に回転するように調整されている。
【００２８】
このような構成のマウス装置１０において、例えば図３に示すロール状に巻回された記録紙１８を用いて印字を行う場合には、図２に示すように蓋１４を開けて、ハウジング１１内に設けられた記録紙収納部１６に記録紙１８を収納し、その記録紙１８の始端部をプラテンローラ５３とサーマルヘッド５５の間まで引き延ばしておく。なお、蓋１４の開閉にリンクする不図示のヘッド移動機構により、蓋１４を開けたときにサーマルヘッド５５はプラテンローラ５３から離間し、蓋１４を閉じたときにプラテンローラ５３に当接するものとする。
【００２９】
本マウス装置では、後述するように、プリンタを内蔵することで、コンピュータ装置から出力される信号を受けて印字を行うことができる。コンピュータ装置からマウスケーブル２１を介して印字信号が送られて来ると、本装置のプリンタ機能が起動され、ハウジング１１内に設けられたステップモータ５４が回転駆動されてプラテンローラ５３及び癖付けロール５７が矢印Ａ方向に回転する。プラテンローラ５３の矢印Ａ方向に回転に伴い、記録紙収納部１６に収納されたロール状の記録紙１８が記録紙収納部１６から繰り出されて紙搬送路５２に沿って排出口２０に向けて搬送されながら、印字信号に従ってサーマルヘッド５５により印字される。
【００３０】
サーマルヘッド５５によって印字が施された記録紙１８は排出口２０からハウジング１１外に排出される。その際に、排出口２０の近傍に設けられた排紙案内路５６によりマウス装置１０が移動操作される平面とは反対の上方向に向かって案内されるとともに、癖付けロール５７により排紙案内路５７に押し付けられて前記平面とは反対方向への湾曲習性が施されながら排出口２０から排出される。これにより、図６に示すように、記録紙１８は排出口２０から上向きに排出されて平面への垂れ下がりが抑止される。
【００３１】
一方、図５の点線で示すような短冊状の記録紙５１を用いて印字を行う場合には、ハウジング１１の側面部１１ｄに設けられた手差し口５０から記録紙５１を挿入する。この場合、記録紙５１の先端部がプラテンローラ５３とサーマルヘッド５５の間に当接するまで、記録紙５１を紙搬送路５２に沿って挿入しておくものとする。
【００３２】
そして、コンピュータ装置からの印字信号の到来により、本装置のプリンタ機能が起動されると、ハウジング１１内に設けられたステップモータ５４が回転駆動されてプラテンローラ５３及び癖付けロール５７が矢印Ａ方向に回転する。プラテンローラ５３の矢印Ａ方向に回転に伴い、手差し口５０から挿入された短冊状の記録紙５１は紙搬送路５２に沿って排出口２０に向けて搬送されながら、印字信号に従ってサーマルヘッド５５により印字され、排出口２０からハウジング１１外に排出される。その際に、排出口２０の近傍に設けられた排紙案内路５６によりマウス装置１０が移動操作される平面とは反対方向に向かって案内されるとともに、癖付けロール５７により排紙案内路５７に押し付けられて前記平面とは反対方向への湾曲習性が施されながら排出口２０から排出されるので、前記ロール状の記録紙１８と同様に平面への垂れ下がりが抑止される。
【００３３】
このように、排出口２０の近傍に設けられた排紙案内路５６及び癖付けロール５７により、排出口２０から排出される印字後の記録紙１８または記録紙５１を平面とは反対方向に向かわせて平面上に垂れ下がることを抑止することができる。したがって、印字中や印字後にマウス装置１０を他の目的で移動操作する場合に、排出口２０からハウジング１１外に排出された記録紙１８、５１をマウス装置１０によって引っかけずに済み、それらの記録紙を折り曲げてしまったり、破ってしまうことはない。
【００３４】
なお、前記実施形態では、排出口２０の近傍に排紙案内路５６と癖付けロール５７の両方を設けたが、排紙案内路５６または癖付けロール５７のどちらか一方を設けることでも同様の効果を得ることができる。
【００３５】
また、ロール状に巻回された記録紙１８を用い、かつ、その記録紙１８の外側の面がマウス装置が移動操作される平面側を向いて紙搬送路５２を搬送されるように紙搬送路５２に記録紙１８を繰り出すべく、前記ロール状に巻回された記録紙１８を収容する記録紙収納部１６を備えることでも、記録紙１８の巻き癖によりハウジング１１から上方向に向けて排出されることになり、記録紙１８の平面上への垂れ下がりを抑止することができる。
【００３６】
また、前記実施形態では、図４及び図５に示すようにハウジング１１の横方向に紙搬送路５２を配設し、印字後の記録紙１８（または記録紙５１）をハウジング１１の側面部１１ｂに設けられた排出口２０から排出する構成としたが、本発明はこれに限るものではなく、例えば紙搬送路５２をハウジング１１の縦方向に配設し、図７に示すように印字後の記録紙１８（または記録紙５１）をハウジング１１の先方から平面とは反対方向に向かって排出することでも良い。このように、ハウジング１１の先方から記録紙の排出を行う構成とすれば、操作者がハウジング１１の側面部を掴んでマウス装置１０を動かす場合に記録紙が邪魔にならずに済むため、より好ましい構成となる。
【００３７】
次に、コンピュータシステム中で、本発明のプリンタ内蔵のマウス装置１０を使って印字を行う操作の例を説明する。
【００３８】
図８は前記構成のマウス装置１０をコンピュータ装置６０に接続した場合の外観構成を示す図、図９はコンピュータ装置６０の画面構成を示す図である。
【００３９】
図８に示すように、本実施形態におけるマウス装置１０はＵＳＢタイプのマウスであり、マウスケーブル２１を介してコンピュータ装置６０に装備されたＵＳＢコネクタに接続される。操作者がこのマウス装置１０を机の上などで動かすと、その動きに連動してコンピュータ画面６０ａに表示されるマウスポインタ６０ｂが移動する。
【００４０】
ここで、図９に示すように、コンピュータ画面６０ａに表示された文字列の中で印字対象となる文字列の範囲６１をマウスポインタ６０ｂにより選択した後、右ボタン１３をクリックすると、所定のメニュー画面６２がウインドウ表示される。そして、このメニュー画面６２に設けられた各選択項目の中で「マウスに内蔵のプリンタで印字」といった項目６３をマウスポインタ６０ｂにより選択すると、前記選択された範囲６１内の文字列に対応した印字信号がマウスケーブル２１を介してマウス装置１０に転送され、図１乃至図５にて説明したようにマウス装置１０のハウジング１１に装填された記録紙に対して印字がなされる。
【００４１】
図１０は前記マウス装置１０に備えられた電子回路の機能構成を示すブロック図である。
【００４２】
マウス装置１０はマウスケーブル２１を介してコンピュータ装置（ＰＣ）６０に接続される。コンピュータ装置６０はパソコン等の汎用のコンピュータであり、マウス装置１０のインタフェース回路（Ｉ／Ｆ）７１を介して送信されるマウスポインタを移動制御するための信号やボタンの操作信号を受けて、画面上のマウスポインタの移動処理やマウスポインタで指示される対象の選択処理や実行処理を行うとともに、マウス装置１０からの印字要求を受けて印字信号を出力する。
【００４３】
図１０に示すように、マウス装置１０にはコントローラ７２が設けられている。このコントローラ７２は、例えばＲＯＭ７２ａやＲＡＭ７２ｂを備えた１チップのマイクロプロセッサによって構成され、ポインティングデバイスに関する制御の他に、ここではプリンタ部７３の印字制御を行う。
【００４４】
前記コントローラ７２には、ポインティングデバイスとしての構成部品であるボール４３のＸ軸方向及びＹ軸方向の回転を検知するための１組のＸ軸・Ｙ軸エンコーダ４４，４５と、ハウジング１１の上面部１１ａに設けられた操作用のボタン４２，４３に連動したスイッチ４１，４２が接続される。さらに、プリンタ部７３を構成するサーマルヘッド５５のドライバ７４や、ステップモータ５４のドライバ７５が接続されるとともに、電源回路７６が接続される。
【００４５】
電源回路７６は、図２に示す電池１９を駆動源としてコントローラ７２やプリンタ部７３にそれぞれに必要な電圧を生成して供給する。なお、電源は電池１９に限らず、コンピュータ装置６０からマウスケーブル２１を介して供給することでも良い。
【００４６】
図１１はコンピュータ装置６０と前記構成のマウス装置１０にて実現される印字処理の動作を示すフローチャートである。なお、この一連の印字処理に関連するプログラムはコンピュータ装置６０に記憶されている。
【００４７】
図９で説明したように、操作者がマウス装置１０を移動操作して、コンピュータ画面６０ａに表示された文字列の中で印字対象となる文字列の範囲６１をマウスポインタ６０ｂにより選択した後、右ボタン１３をクリックすると、所定のメニュー画面６２がウインドウ表示される（ステップＳ１〜Ｓ３）。
【００４８】
ここで、メニュー画面６２内の「マウスに内蔵のプリンタで印字」といった項目６３をマウスポインタ６０ｂにより選択すると（ステップＳ４のＹｅｓ）、前記選択された範囲６１内の文字列に対応した印字信号がマウスケーブル２１を介してマウス装置１０に転送される。そして、プリンタ部７３に設けられたサーマルヘッド５５のドライバ７４とステップモータ５４のドライバ７５が駆動され、マウス装置１０のハウジング１１内に装填された記録紙（ロール状の記録紙１８または短冊状の記録紙１８）に対して前記印字信号に基づく印字が行なわれる（ステップＳ５）。ここでの印字処理は、マウス装置１０がコンピュータ装置６０からの印字信号を受け、マウス装置１０側のコントローラ７２の制御により、プリンタ部７３を駆動することにより行われる。
【００４９】
このように、マウス装置１０のハウジング１１内に装填されたメモとして適当なサイズの記録紙に対して印字が行われるため、コンピュータ画面６０ａ上の任意の部分の文字列を記録紙に印字してメモとして残すことができる。
【００５０】
また、排出口２０からハウジング１１外に排出される記録紙がマウス装置１０が移動操作される平面に垂れ下がることがないので、装置外に排出される記録紙がマウス装置１０の移動操作の邪魔になることがなく、また、その排出される記録紙をマウス装置１０の移動操作の際に引っかけて折り曲げたり、破ってしまうことはなく、後にメモとして綺麗に残すことができる。
【００５１】
【発明の効果】
以上詳記したように本発明によれば、ハウジング内に装填された記録紙を印字後に排出口から排出するときに、マウス装置が移動操作される平面とは反対方向に排出して前記平面上への垂れ下がりを抑止する構成としたため、印字後にハウジング外に排出された記録紙がマウス装置の操作の邪魔にならず、また、マウス装置の移動操作の際にハウジング外に排出された記録紙をマウス装置によって引っかけて傷めるなどのことがない。
【図面の簡単な説明】
【図１】本発明の一実施形態に係るプリンタ内蔵マウス装置の外観構成を示す斜視図。
【図２】前記プリンタ内蔵マウス装置の蓋を開けた状態を示す斜視図。
【図３】前記プリンタ内蔵マウス装置の記録紙収納部に収納されるロール状の記録紙の構成を示す図であり、図３（ａ）はその記録紙の斜視図、同図（ｂ）はその記録紙の断面図。
【図４】前記プリンタ内蔵マウス装置のハウジング内に設けられた各構成部品をハウジングの上面から見た場合の概略構成図。
【図５】前記ハウジング内の各構成部品を正面から見た場合の概略構成図。
【図６】前記プリンタ内蔵マウス装置のハウジングから記録紙が排出された状態を示す斜視図。
【図７】前記プリンタ内蔵マウス装置の記録紙の排出方向を変えた場合の変形例を示す斜視図。
【図８】前記プリンタ内蔵マウス装置をコンピュータ装置に接続した場合の外観構成を示す図。
【図９】前記コンピュータ装置の画面構成を示す図。
【図１０】前記プリンタ内蔵マウス装置に備えられた電子回路の機能構成を示すブロック図。
【図１１】前記コンピュータ装置と前記プリンタ内蔵マウス装置にて実現される印字処理の動作を示すフローチャート。
【符号の説明】
１０…マウス装置
１１…ハウジング
１２…左ボタン
１３…右ボタン
１４…蓋
１５…軸
１６…記録紙収納部
１７…電池収納部
１８…ロール状の記録紙
１９…電池
２０…排出口
２１…マウスケーブル
３１…感熱紙
３２…剥離紙
３３…接着剤
４０…回路基板
４１，４２…スイッチ
４３…ボール
４４，４５…エンコーダ
５０…手差し口
５１…短冊状の記録紙
５２…紙搬送路
５３…プラテンローラ
５４…ステップモータ
５５…サーマルヘッド
５６…排紙案内路
５７…癖付けロール
【図１】
0003684999.tif 000002
【図２】
0003684999.tif 000003
【図３】
0003684999.tif 000004
【図４】
0003684999.tif 000005
【図５】
0003684999.tif 000006
【図６】
0003684999.tif 000007
【図７】
0003684999.tif 000008
【図８】
0003684999.tif 000009
【図９】
0003684999.tif 000010
【図１０】
0003684999.tif 000011
【図１１】
0003684999.tif 000012